(57)【要約】【課題】  古紙や製紙工場などで生成される繊維状または粉状のパルプ素材などからアートに利用することが可能な紙アート素材を提供することを目的とする。【解決手段】  古紙１ｋｇに対して０．６〜１ｋｇの水を使用して古紙が解繊され生成された繊維素材１８と粘着性を有する粘着素材２０とを混合して紙アート素材を構成する。【選択図】      図２
2005226186.tif 000002
【特許請求の範囲】
【請求項１】
繊維状または粉状に生成されたパルプ素材と粘着性を有する粘着素材とが混合されていることを特徴とする紙アート素材。
【請求項２】
請求項１に記載の紙アート素材であって、
前記パルプ素材は、着色されていることを特徴とする紙アート素材。
【請求項３】
請求項１または請求項２に記載の紙アート素材であって、
文字を書いたり、絵を描いたり、造形物を作成したりすることに使用されることを特徴とする紙アート素材。
【発明の詳細な説明】
【技術分野】
【０００１】
本発明は、繊維状または粉状に生成されたパルプ素材が使用されアートに利用することが可能な紙アート素材に関する。
【背景技術】
【０００２】
従来より、新聞紙やコピー紙などの古紙から再生紙などを生成して再利用することが行われている。（例えば、特許文献１参照）
また、その他の古紙の再生品としては、例えば、置物、園芸用の土壌、鉄道の枕木、断熱材、不燃材、緩衝材、または油吸着材などがある。
【特許文献１】特開２０００−２９０８９８号  （第２〜４頁、第１〜３図）
【発明の開示】
【発明が解決しようとする課題】
【０００３】
しかしながら、このような古紙や製紙工場などで生成される繊維状または粉状のパルプ素材などをアートに利用することは今まで行われていなかった。
そこで、本発明では、古紙や製紙工場などで生成される繊維状または粉状のパルプ素材などからアートに利用することが可能な紙アート素材を提供することを目的とする。
【課題を解決するための手段】
【０００４】
上記の課題を解決するために本発明では、以下のような構成を採用した。
すなわち、本発明の紙アート素材は、繊維状または粉状に生成されたパルプ素材と粘着性を有する粘着素材とが混合されていることを特徴としている。
このように、パルプ素材と粘着素材とが混合される紙アート素材は、粘着性があるため様々な材質に貼り付けることができると共に不透明であるため、文字を書いたり、絵を描いたりすることができる。また、パルプ素材に混合する粘着素材として、例えば、糊や接着材など時間の経過と共に凝固するものを使用することにより紙アート素材から造形物などを作成することができる。このように、パルプ素材と粘着素材とが混合されて構成される紙アート素材はアートに利用することができる。
【０００５】
また、上記紙アート素材におけるパルプ素材は着色されていてもよい。
また、上記紙アート素材は、文字を書いたり、絵を描いたり、造形物を作成したりすることに使用されてもよい。
【発明の効果】
【０００６】
本発明によれば、古紙や製紙工場などで生成される繊維状または粉状のパルプ素材などからアートに利用することが可能な紙アート素材を構成することができる。
【発明を実施するための最良の形態】
【０００７】
以下、本発明の実施形態を図面を用いて説明する。
図１（ａ）は、本発明の実施形態の紙アート素材に使用される繊維素材を生成するための古紙解繊システムを示す図である。
図１（ａ）に示すように、古紙解繊システム１は、古紙を解繊して繊維素材を生成する古紙解繊装置２と、古紙解繊装置２に所定量の水を注入する水注入装置３と、古紙解繊装置２から繊維素材を吸い出す繊維素材吸出装置４とを備えて構成している。
【０００８】
上記古紙解繊装置２は、運転開始ボタン５を備え、その運転開始ボタン５がオペレータにより押されると運転を開始する。
上記水注入装置３は、運転開始ボタン６と、水注入管７とを備え、運転開始ボタン６がオペレータにより押されると所定量の水を水注入管７を介して古紙解繊装置２に注入する。
【０００９】
上記繊維素材吸出装置４は、運転開始ボタン８と、繊維素材吸出管９とを備え、運転開始ボタン８がオペレータにより押されると古紙解繊装置２から繊維素材を繊維素材取出管９を介して吸出し繊維素材吸出装置４の内部に備えるタンクなどに貯める。
図１（ｂ）は、古紙解繊装置２の内部を示す図である。なお、図１（ａ）に示す構成と同じ構成には同じ符号を付けている。
【００１０】
図１（ｂ）に示すように、古紙解繊装置２は、繊維素材吸出管９の取付けまたは取外しが自在で、且つ、新聞紙、コピー紙、及びダンボールなどの古紙を収容するタンク１０と、水注入管７の取付けまたは取外しが自在で、且つ、タンク１０の上部の開口部を密閉する蓋１１と、タンク１０の内部の底部に設けられ複数の羽を有する回転羽１２と、ベルト１３を介して回転羽１２を回転させるモータ１４とを備えて構成される。
【００１１】
古紙解繊装置２は、オペレータにより運転開始ボタン５が押されると、モータ１４を駆動して回転羽１２を回転させ、タンク１０内に収容される古紙を解繊する。
また、オペレータは、古紙解繊装置２の運転前や運転中に、水注入装置３の運転開始ボタン６を押すことにより古紙解繊装置２のタンク１０内に所定量の水を注入する。
【００１２】
次に、古紙解繊装置２において古紙がパルプ状に解繊され繊維素材が生成されると、オペレータにより繊維素材吸出装置４の運転開始ボタン８が押され、タンク１０内の繊維素材が繊維素材吸出管９を通って繊維素材吸出装置４に貯められる。
そして、オペレータは、繊維素材吸出装置４に貯められた繊維素材を使用して紙アート素材を構成する。
【００１３】
次に、タンク１０内に収容される古紙の量とタンク１０内に注入される水の量との関係について説明する。
表１は、上記古紙解繊システム１において解繊される古紙の解繊状態を古紙１ｋｇに対する注入量毎（０ｋｇ、０．２ｋｇ、０．３ｋｇ、０．５ｋｇ、０．６ｋｇ、０．６５ｋｇ、０．７ｋｇ、０．８ｋｇ、１ｋｇ、１．３ｋｇ）に示す表である。なお、この実験に使用した古紙は、新聞紙２５０ｇ、コピー紙２５０ｇ、チラシ２５０ｇ、及び雑誌２５０ｇの計１ｋｇの古紙としている。また、古紙解繊装置２の回転羽１２の駆動時間は、それぞれの注水量に対して３〜６分程度としている。
【００１４】
【表１】
2005226186.tif 000003
表１に示すように、古紙を解繊することが可能な古紙１ｋｇに対する注水量は、０．６〜０．８ｋｇ程度であり、特に良好な状態（ほぼ全ての古紙がパルプ状に解繊され圧縮しても廃液がでない状態）にすることが可能な注水量は、０．６５〜０．７ｋｇ程度となる。
【００１５】
また、古紙１ｋｇに対する注水量が少ない場合（例えば、注水量が０〜０．５ｋｇの場合）は、埃や静電気が発生したり、繊維状にならなかったりする。また、古紙１ｋｇに対する注水量が多い場合（例えば、注水量が１ｋｇ以上の場合）は、団子状になったり、パルプ状にならなかったりする。
【００１６】
次に、表２は、古紙の解繊状態の良い場合の注水量を古紙の種類毎に示す表である。なお、この実験における古紙解繊装置２の運転時間は６分間としている。
【００１７】
【表２】
2005226186.tif 000004
表２に示すように、解繊状態を良くすることが可能な注水量は、コピー紙の場合０．６ｋｇ、新聞紙の場合０．８ｋｇ、チラシの場合０．６５ｋｇ、雑誌の場合０．６５ｋｇとなる。
【００１８】
このように、古紙１ｋｇを解繊する場合は、古紙の種類により若干変化するが、古紙の重さに対して６０〜８０％の重さの水を使用することが望ましい。すなわち、例えば、古紙解繊装置２において１ｋｇの古紙を解繊する場合は、水注入装置３から６００〜１０００ｇ程度の水を古紙解繊装置２のタンク１０内に注入することが望ましい。
【００１９】
これにより、解繊後の繊維素材を圧縮しても廃液を出さないようようにすることができる。また、ほぼ全てがパルプ状の繊維素材を生成することができる。
次に、本発明の実施形態の紙アート素材の使用例について説明する。
本実施形態の紙アート素材は、古紙解繊システム１で生成された繊維素材と粘着性を有する粘着素材とを混合して構成している。なお、繊維素材と混合する粘着素材の種類は、接着剤や糊など特に限定されない。
【００２０】
図２（ａ）は、本発明の実施形態の紙アート素材の販売形態の例を示す図である。
図２（ａ）に示すように、紙アート素材１５は、開口部の細い容器１６に入れて販売してもよい。なお、紙アート素材１５を入れる容器の形や大きさは特に限定されない。
また、紙アート素材１５は、着色されていてもよく、紙アート素材１５を着色するための染料または顔料の種類は特に限定されない。また、紙アート素材１５は、予め着色された古紙を解繊して生成した繊維素材と粘着素材とを混合して構成してもよい。また、紙アート素材１５は、生成された繊維素材を着色してから粘着素材と混合して構成してもよい。
【００２１】
図２（ｂ）は、本発明の実施形態の紙アート素材の使用例を示す図である。なお、図２（ａ）に示す構成と同じ構成には同じ符号を付けている。
図２（ｂ）に示すように、紙アート素材    １５を容器１６の先端の開口部からボード１７の上に取り出し使用してもよい。なお、ボード１７は、キャンバスや色紙など特に限定されない。
【００２２】
また、図２（ｃ）は、本発明の実施形態の紙アート素材の販売形態の他の例を示す図である。
図２（ｃ）に示すように、繊維素材１８を袋１９に、粘着素材２０を容器２１にそれぞれ入れ、繊維素材１８と粘着素材２０とを別々に販売してもよい。なお、袋１９の材質、形、及び大きさなどは特に限定されない。また、容器２１の材質、形、及び大きさなども特に限定されない。また、繊維素材１８は、ヒータなどで乾燥させてから袋１９に入れてもよい。また、繊維素材１８は、着色されていてもよく、繊維素材１８を着色するための染料または顔料の種類は特に限定されない。
【００２３】
図２（ｄ）は、本発明の実施形態の紙アート素材の他の使用例を示す図である。なお、図２（ｂ）または（ｃ）に示す構成と同じ構成には同じ符号を付けている。
図２（ｄ）に示すように、繊維素材１８及び粘着素材２０をそれぞれ袋１９及び容器２１からボート１７上に取り出しボード１７上で繊維素材１８と粘着素材２０とを混合して紙アート素材１５を生成させながら使用してもよい。
【００２４】
次に、本発明の実施形態の紙アート素材が使用されて作成されるアートについて説明する。
図３は、本発明の実施形態の紙アート素材が使用されて作成されたアートの例を示す図である。なお、図２（ｂ）に示す構成と同じ構成には同じ符号を付けている。
【００２５】
図３において、２２はオレンジ色に着色された紙アート素材を、２３は茶色に着色された紙アート素材を、２４は緑色に着色された紙アート素材を、２５は青色に着色された紙アート素材を、２６は黄色に着色された紙アート素材を、２７はマゼンダに着色された紙アート素材を、２８は白色に着色された紙アート素材をそれぞれ示している。
【００２６】
図３に示すように、様々な色に着色された紙アート素材をボード１７に取り出していくことにより立体的な風景画を作成することができる。
次に、図４は、本発明の実施形態の紙アート素材が使用されて作成されたアートの他の例を示す図である。
【００２７】
まず、図４（ａ）は、紙アート素材が使用されて書かれた文字の例を示す図である。
図４（ａ）に示すアートの例では、「東京都千代田区」という文字が紙アート素材で書かれている。
このように、紙アート素材を使用して文字を書くことができる。
【００２８】
次に、図４（ｂ）は、紙アート素材が使用されて描かれた絵の例を示す図である。
図４（ｂ）に示すアートの例では、風景画が紙アート素材で描かれている。
このように、紙アート素材を使用して絵を描くことができる。
次に、図４（ｃ）は、紙アート素材が使用されて塗られた絵の例を示す図である。
【００２９】
図４（ｃ）に示すアートの例には、紙アート素材により色が塗られた塗り絵が示されている。
このように、紙アート素材を使用して塗り絵に色を塗ることができる。
次に、図４（ｄ）は、紙アート素材が使用されて作成された造形物の例を示す図である。
【００３０】
図４（ｄ）に示すアートの例では、小鹿を模った像形物の表面に紙アート素材が貼り付けられて小鹿の置物が作成されている。
このように、紙アート素材を使用して造形物を作成することができる。
そして、図４（ｅ）は、紙アート素材が使用されて作成された立体画の例を示す図である。
【００３１】
図４（ｅ）に示すアートの例では、紙アート素材によりブドウの絵が立体的に描かれている。
このように、紙アート素材を使用して立体的な絵を描くことができる。
なお、紙アート素材を使用して作成することができるアートは、上記アートの例（図４（ａ）〜（ｅ））に限定されない。
【００３２】
このように、繊維素材と粘着素材とが混合される紙アート素材は、粘着性があるため様々な材質に貼り付けることができると共に不透明であるため、文字を書いたり、絵を描いたりすることができる。また、繊維素材に混合する粘着素材として、例えば、糊や接着材など時間の経過と共に凝固するものを使用することにより紙アート素材から造形物などを作成することができる。このように、繊維素材と粘着素材とが混合されて構成される紙アート素材はアートに利用することができる。
【００３３】
また、紙アート素材に使用される繊維素材は、解繊後の繊維素材を圧縮しても廃液が出ない範囲内の量の水を使用して解繊されているので、古紙を解繊するために必要な水の量を抑えると共に、脱水処理などを行う必要がなくなる。そのため、古紙を解繊する際にかかる水道代や脱水処理に必要なコストを無くすことができ、生産コストを抑えることができる。
【００３４】
なお、上記実施形態では、古紙解繊システム１により古紙から繊維素材を生成して、その繊維素材と粘着素材とを混合して紙アート素材を構成しているが、使用前の新しい紙を上記古紙解繊システム１などで解繊して繊維素材を生成し、その繊維素材と粘着素材とを混合して紙アート素材を構成してもよい。
【００３５】
また、上記紙アート素材は、古紙や使用前の紙などを使用して構成する以外に、製紙工場など（上記古紙解繊システム１を含む）で生成される繊維状のパルプ素材（上記繊維素材に相当）または粉状のパルプ素材（例えば、繊維素材を更に細かく粉状にしたもの）と粘着素材とを混合して構成してもよい。
【図面の簡単な説明】
【００３６】
【図１】本発明の実施形態の紙アート素材に使用する繊維素材を生成するための古紙解繊システムを示す図である。
【図２】紙アート素材の使用例を示す図である。
【図３】紙アート素材が使用されて作成されたアートの例を示す図である。
【図４】紙アート素材が使用されて作成されたアートの例を示す図である。
【符号の説明】
【００３７】
１      古紙解繊システム
２      古紙解繊装置
３      水注入装置
４      繊維素材吸出装置
５      運転開始ボタン
６      運転開始ボタン
７      水注入管
８      運転開始ボタン
９      繊維素材吸出管
１０    タンク
１１    蓋
１２    回転羽
１３    ベルト
１４    モータ
１５    紙アート素材
１６    容器
１７    ボード
１８    繊維素材
１９    袋
２０    粘着素材
２１    容器
【図１】
2005226186.tif 000005
【図２】
2005226186.tif 000006
【図３】
2005226186.tif 000007
【図４】
2005226186.tif 000008